(57)【要約】【課題】オプション部材と被取付部との取付状態が堅牢に維持され得るオプション部材の取付構造を提供する。【解決手段】オプション部材の取付構造１０４は、椅子の突出部の下面（被取付面）に取り付け可能に構成されたオプション部材の取付構造であって、突出部の下面に当接しつつ突出部の下面の形状に応じて変位可能な取付部１０２を有する。【選択図】図５
2018174991.tif 000002
【特許請求の範囲】
【請求項１】
什器の被取付面に取り付け可能に構成されたオプション部材の取付構造であって、
前記被取付面に当接しつつ前記被取付面の形状に応じて変位可能な取付部を有することを特徴とするオプション部材の取付構造。
【請求項２】
前記取付部が着脱可能に取付けられたオプション本体を備えることを特徴とする請求項１に記載のオプション部材の取付構造。
【請求項３】
前記取付部には、前記取付部の厚さ方向に貫通し、前記取付部の中心から外周縁へ向かう方向に延びる切欠きが形成されていることを特徴とする請求項１又は請求項２に記載のオプション部材の取付構造。
【請求項４】
前記切欠きは、前記取付部の外周縁に達して前記外周縁から外方に開口し、
前記取付部は、前記切欠き部によって分割された複数の分割部を有し、
前記複数の分割部は、それぞれ前記被取付面の形状に応じて変位可能に構成されていることを特徴とする請求項３に記載のオプション部材の取付構造。
【請求項５】
前記取付部が、前記オプション部材と一体に形成され、前記被取付面に対して弾性変形して当接することを特徴とする請求項１から請求項４のいずれか一項に記載のオプション部材の取付構造。
【請求項６】
請求項１から請求項５のいずれか一項に記載のオプション部材の取付構造を備えたオプション部材。
【請求項７】
請求項６に記載のオプション部材を備えた什器。
【発明の詳細な説明】
【技術分野】
【０００１】
本発明は、椅子等の什器のオプション部材の取付構造、オプション部材、及び什器
に関する。
【背景技術】
【０００２】
従来、椅子の背凭れには、オプション部材として、ランバーサポートやヘッドレスト、ハンガー等が設けられている場合がある。
【０００３】
例えば、特許文献１には、ハンガーやヘッドレストといったオプション部材を強固に、且つ容易に背凭れに取り付けることができる椅子（什器）が開示されている。特許文献１に開示されているオプション部材は、椅子の背凭れの本体支持部材の被取付面に面接触により取り付け可能とされている。
【０００４】
また、特許文献２には、オプション部材の取り付けや交換、及び位置調整を容易に行うことのできる椅子（什器）が開示されている。特許文献２に開示された椅子では、ハンガー（オプション部材）の取付部材の前側取付部材と後側取付部材がそれぞれ背凭れの上枠部の当接面に当接した状態で、前側取付部材と後側取付部材との間で上枠部を保持するように構成されている。
【先行技術文献】
【特許文献】
【０００５】
【特許文献１】特開２０１４−０７９４９２号公報
【特許文献２】特開２０１５−１４４６４３号公報
【発明の概要】
【発明が解決しようとする課題】
【０００６】
上述の特許文献１及び特許文献２をはじめとする従来の椅子に形成されたオプション部材の被取付部は、椅子全体のデザインに調和すると共に、着座者の体型に沿うようにして着座時の快適度を高めるために、前後方向や上下方向等の種々の方向に沿って屈曲又は湾曲する部分を有する、或いは突出する部分を有する。また、被取付部に取り付け可能なオプション部材またはオプション取付部材は、被取付部の上述の形状に即した形状を有する。
【０００７】
しかしながら、オプション部材又はオプション取付部材が金型で成形された場合に、成形時の公差等の要因によって被取付部の形状と前述の部材の形状が完全にフィットしない（面接触しない、又は互いの接触面が極めて小さくなる）場合がある。このように互いの形状がフィットしていない状態でオプション部材又はオプション取付部材が背凭れの被取付部に取り付けられると、がたつきが生じる虞や局所的な過負荷を招く虞があり、オプション部材と被取付部材との取付状態が堅牢に維持されないという問題があった。
【０００８】
本発明は、上述の事情を鑑みてなされたものであり、オプション部材と被取付部との取付状態が堅牢に維持され得るオプション部材の取付構造を提供する。
【課題を解決するための手段】
【０００９】
上記目的を達成するため、本発明に係るオプション部材の取付構造は、什器の被取付面に取り付け可能に構成されたオプション部材の取付構造であって、前記被取付面に当接しつつ前記被取付面の形状に応じて変位可能な取付部を有することを特徴とする。
【００１０】
上述の構成によれば、取付部が被取付面に当接しつつ被取付面の形状に応じて変位するので、被取付面とオプション部材の取付部において被取付面に対向する当接面（以下、単に当接面という）との互いの形状の違いによる隙間をなくすように、取付部を被取付面に取り付け可能となる。これにより、被取付部との間に形状のずれがあっても、オプション部材を被取付面に対して良好に取り付けることができ、オプション部材と被取付部との取付状態を堅牢に維持することができる。
【００１１】
また、本発明に係るオプション部材の取付構造では、前記取付部が着脱可能に取付けられたオプション本体を備えていてもよい。
【００１２】
上述の構成によれば、取付部が着脱可能に取付けられているので、被取付面の形状に応じて変位させる部分をオプション本体とは別体としてコンパクトに製造することができ、点検時や破損時にも必要に応じて取付部のみを交換可能となる。
【００１３】
また、本発明に係るオプション部材の取付構造では、前記取付部には、前記取付部の厚さ方向に貫通し、前記取付部の中心から外周縁へ向かう方向に延びる切欠きが形成されていてもよい。
【００１４】
上述の構成によれば、取付部を厚さ方向（被取付面との接離方向）へ変位しやすい構造とすることができる。また、切欠きの長さや本数を適宜設定するだけで取付部の変位のしやすさを設計上容易に設定することができる。
【００１５】
また、本発明に係るオプション部材の取付構造では、前記切欠きが、前記取付部の外周縁に達して前記外周縁から外方に開口し、前記取付部が、前記切欠き部によって分割された複数の分割部を有し、前記複数の分割部は、それぞれ前記被取付面の形状に応じて変位可能に構成されていてもよい。
【００１６】
上述の構成によれば、取付部を厚さ方向により大きく変位しやすい構造とすることができる。また、取付部を切欠きが延びる方向に交差する方向にも変位しやすい構造とすることができる。
【００１７】
また、本発明に係るオプション部材の取付構造では、前記取付部が、前記オプション部材と一体に形成され、前記被取付面に対して弾性変形して当接してもよい。
【００１８】
上述の構成によれば、取付部の部品構成が簡素化され、取付部の製造コストを低減することができる。
【００１９】
本発明に係るオプション部材は、上述のオプション部材の取付構造を備えていることを特徴とする。
【００２０】
上述の構成によれば、オプション部材の当接面において被取付面との間に形状のずれがあっても、被取付面に対して良好に取り付けることができると共に、オプション部材と被取付部との取付状態を堅牢に維持することができる。
【００２１】
本発明に係る什器は、上述のオプション部材を備えていることを特徴とする。
【００２２】
上述の構成によれば、被取付部とオプション部材との間に形状のずれがあっても、オプション部材を被取付面に対して良好に取り付けることができると共に、什器におけるオプション部材と被取付部との取付状態を堅牢に維持することができる。
【発明の効果】
【００２３】
本発明によれば、オプション部材と被取付部との間に形状のずれがあっても、取付部を被取付面に対して良好に取り付け、オプション部材と被取付部との取付状態を堅牢に維持することができる。
【図面の簡単な説明】
【００２４】
【図１】本発明に係る一実施形態の椅子（什器）の側方から見た斜視図である。
【図２】本発明に係る一実施形態の椅子の後方から見た斜視図である。
【図３】本発明に係る一実施形態の椅子の背凭れの一部を示す斜視図である。
【図４】本発明に係る一実施形態の椅子の背凭れの下枠材を説明する断面斜視図である。
【図５】本発明に係る一実施形態の椅子の背凭れの分解斜視図である。
【図６】本発明に係る一実施形態の椅子の背凭れの下部側を示す正面図である。
【図７】本発明に係る一実施形態のオプション部材の取付構造の取付部を構成する第一取付部材の図であって、（ａ）は正面図であり、（ｂ）は（ａ）の側面図であり、（ｃ）は（ａ）の背面図である。
【図８】図６に示すＡ−Ａ線断面図である。
【図９】図６に示すＢ−Ｂ線断面図である。
【図１０】図６に示すＣ−Ｃ線断面図である。
【図１１】本発明に係る一実施形態のオプション部材の取付構造の取付部を構成する第二取付部材の図であって、（ａ）は正面図であり、（ｂ）は（ａ）の側面図であり、（ｃ）は（ａ）の背面図である。
【図１２】図６に示すＤ−Ｄ線断面図である。
【図１３】図６に示すＥ−Ｅ線断面図である。
【図１４】下枠材に取り付けられた第二取付部材を説明する図である。
【図１５】下枠材に取り付けられた第二取付部材を説明する他の図である。
【発明を実施するための形態】
【００２５】
以下、本発明に係る一実施形態について、図面に基づいて説明する。
図１に示すように、本発明に係る一実施形態の椅子（什器）１０は、床面Ｆの上に設置される脚部１と、脚部１の上部に設置されたボックス状の支基２と、支基２の上部に取り付けられた座受け部材３と、座受け部材３にスライド可能に支持されると共に着座者（図示略）が着座可能な座体４と、支基２から延びると共に座体４に着座した着座者の背中を支持可能な背凭れ７と、背凭れ７に着脱可能に設けられたランバーサポート（オプション部材）１００と、を有している。
【００２６】
本明細書及び図面では、座体４に着座した着座者が前を向く側を前側とし、その反対側を後側とし、前側と後側とを結ぶ方向を前後方向とする。前後方向に直交する水平方向を幅方向とし、上下を結ぶ方向を上下方向とする。
【００２７】
脚部１は、多岐脚１１及び脚柱１２を有している。多岐脚１１の先端のそれぞれには、キャスタ１１Ａが取り付けられている。脚柱１２には、多岐脚１１の平面視における中央部より起立するように設けられ、且つ座体４を昇降可能とするガススプリング（不図示）が内蔵されている。
【００２８】
脚柱１２の下部を構成する外筒１３は、多岐脚１１に回転不能に嵌合し、多岐脚１１に支持されている。脚柱１２の上部を構成する内筒１４の上端部には支基２が固定され、内筒１４は支基２を支持している。内筒１４の下端部は、外筒１３に対して水平方向に沿う面内で回転可能となるように支持されている。
【００２９】
支基２には、脚柱１２の昇降調整機構、及び背凭れ７の傾動調整機構が内蔵されている。
【００３０】
座受け部材３は、支基２の上部に取り付けられた四本のリンクアーム（不図示）と、リンクアーム同士を連結する左右一対の固定フレーム（不図示）と、を有している。
【００３１】
座体４は、座フレーム４０と、座フレーム４０に張設された張材４１と、を有している。
【００３２】
背凭れ７は、背フレーム７０と、背フレーム７０に張設された張材７１と、を有している。張材７１の前面は、着座者の荷重を受ける荷重支持面７１ｆとされている。図１及び図２以外では、張材７１の図示を省略している。
【００３３】
背フレーム７０は、支基２に連結され、且つ背フレーム７０の強度を担う強度部材である後枠材７０Ｂと、後枠材７０Ｂの前方に設けられた前枠材７０Ｆと、を有している。
【００３４】
後枠材７０Ｂは、下辺部７２と、側辺部７３と、上辺部７４と、を有している。下辺部７２と側辺部７３と上辺部７４は、例えばアルミ等の金属または所定の強度を有する樹脂等により一体に形成されている。
【００３５】
下辺部７２は、支基２の内部に設けられた傾動調整機構に連結され、支基２の後部の左右両側に沿って延在するように二つ設けられている。下辺部７２は、上方に向かうに従って漸次後方に向かうように傾斜している。また、下辺部７２には、座体４の側方に配置された肘掛け７５が設けられている。
【００３６】
図２に示すように、側辺部７３は、二つの下辺部７２のそれぞれの上端部に接続されている。側辺部７３は、上方に向かうに従って漸次幅方向の外側（互いに離間する側）に向かうように傾斜している。また、側辺部７３は、側面視で上下方向における着座者の腰の括れ近傍の高さに相当する部分に湾曲部を有している。側辺部７３の湾曲部の下側は、上方に向かうに従って漸次前方に向かうように傾斜している。側辺部７３の湾曲部の上側は、上方に向かうに従って漸次後方に向かうように傾斜している。二つの側辺部７３の上部同士は、上辺部７４によって連結されている。
【００３７】
前枠材７０Ｆは、背凭れ７の幅方向に離間すると共に荷重支持面７１ｆに沿って上下方向に沿って延在するように配置された一対の縦枠材８１と、一対の縦枠材８１の上端同士を連結する上枠材８２と、一対の縦枠材８１の下端同士を連結する下枠材８３と、を有している。一対の縦枠材８１、上枠材８２、及び下枠材８３は、例えば樹脂等で一体に形成され、一体として環をなし、張材７１から作用する力に応じて弾性変形可能に構成されている。
【００３８】
一対の縦枠材８１、上枠材８２及び下枠材８３のそれぞれの外周縁には、背凭れ７の内方（即ち、前側または後側から見て中心部）に向かって凹む溝部８４が形成されている。前述のように、一対の縦枠材８１、上枠材８２及び下枠材８３は一体として環をなすように形成されているので、溝部８４は一体となったこれらの枠材の周方向に連続して形成されている。溝部８４は、張材７１の外周端部が巻き込まれることによって張材７１を係止可能に構成されている。張材７１は、前枠材７０Ｆの前側に配置されている。張材７１の外周縁部近傍は、前枠材７０Ｆの外側に回り込み、溝部２２４に巻き込まれている。張材７１は、背凭れ７に寄りかかった着座者の荷重を受けるように構成されている。
【００３９】
一対の縦枠材８１は、下方に向かうに従って漸次幅方向の内側に向かうように傾斜している。一対の縦枠材８１のそれぞれの上部と下部には、後方に向かって延在する上部連結部８５及び下部連結部８６が縦枠材８１１と一体に形成されている。上部連結部８５及び下部連結部８６の先端部（後端部）は、それぞれ後枠材７０Ｂの側辺部７３に連結されている。
【００４０】
図１に示すように、上枠材８２は、幅方向に沿って延在している。上枠材８２の幅方向の両端部は、一対の縦枠材８１の上端部と連結されている。上枠材８２は、幅方向の中央部が両端部よりも上側に配されるように湾曲している。
【００４１】
下枠材８３は、幅方向に延在している。下枠材８３の幅方向の両端部は、一対の縦枠材８１の下端部と連結されている。下枠材８３は、幅方向の中央部が両端部よりも下側に配されるように湾曲している。
【００４２】
図３及び図４では、下枠材８３の形状を詳細に説明し、下枠材８３の形状と該形状による作用効果をわかりやすく示すために、下枠材８３に取り付けられたランバーサポート１００の構成部材であるランバーサポート本体（オプション本体）１０１と、ランバーサポート１００の取付構造（オプション部材の取付構造、以下では単に「取付構造」という場合がある）１０４の第一取付部材１０５及び第二取付部材１０６と、を併せて図示している。
【００４３】
図３および図４に示すように、下枠材８３は、下部側に配置され溝部８４が形成された基部９３と、基部９３の上面９３ａの後側端部から上方に向かうに従って漸次前方に向かうように突出する突出部９４と、を有している。また、基部９３の前側の上面９３ａと突出部９４の下面９４ｂによって、これらの面に囲まれた凹部９５が形成されている。基部９３、突出部９４は、それぞれ下枠材８３の長さ方向（即ち、椅子１０の幅方向）の全体にわたって形成されている。基部９３に形成された溝部８４は、後方に向かうに従って漸次下降するように形成され、基部９３の下面９３ｂに開口している。
【００４４】
突出部９４は、基端側（即ち、基部９３側）に配置された板状部９６と、板状部９６の先端に配置され膨出部９７と、を有している。板状部９６及び膨出部９７は、一体に形成されている。板状部９６の厚みは、基部９３から突出する方向に沿って略均一になっている。膨出部９７の厚みは、板状部９６の先端から前方に向かうに従って板状部９６の厚みより漸次大きくなり、それから側面視半円を描くように縮小されている。即ち、膨出部９７の表面は、突出部９４の下面９４ｂの前側端部に接続され、且つ前方に向かって略水平に延在する下面９７ｂと、突出部９４の上面９４ａの前側端部に接続され、且つ上面９４ａと略面一になっている上面９７ａと、上面９７ａ及び下面９７ｂを互いに接続し、且つ側面視で半円状に形成された前面９７ｆと、を有している。
【００４５】
凹部９５には、幅方向中間部で、後述する取付部１０２が係止される領域の両側方それぞれに壁部９５ａ，９５ａが形成されている。壁部９５ａは、凹部９５に係止された取付部１０２の幅方向の移動を規制するために設けられている。
壁部９５ａは、板面が略幅方向を向く板状に形成されていて、前縁部以外が凹部９５の内面と連続している。壁部９５ａは、基部９３および突出部９４と一体に形成されている。
【００４６】
ランバーサポート１００は、図５に示すように背フレーム７０に取り付けられ、図３から図５に示すように、椅子１０（図１参照）に着座した着座者の荷重を受けるランバーサポート本体（オプション部材）１０１と、下枠材８３及びランバーサポート本体１０１に取り付けられてランバーサポート本体１０１を支持する取付構造１０４と、取付構造１０４を後側から覆う背面カバー１０３と、ランバーサポート本体１０１の高さを調節可能とするランバーサポート高さ調整部（以下、単に「高さ調整部」という場合がある）１０７を有している。
【００４７】
ランバーサポート本体１０１は、背凭れ７の張材７１（図１及び図２参照）の後方に配置されている。ランバーサポート本体１０１は、背凭れ７の幅方向中央部に配置されるメインサポート部１１１と、メインサポート部１１１の上部の幅方向両側から幅方向外方に向かってそれぞれ延出された延出部１１２と、メインサポート部１１１から下方に延在し、且つ取付部１０２の高さ調整部１０７に取り付け可能に形成されたアーム部１１３と、を有している。メインサポート部１１１、延出部１１２、及びアーム部１１３は、一体に形成されている。アーム部１１３には、図５に示すボルト１２４を螺合可能なネジ穴（図８参照）１１４が形成されている。延出部１１２は、使用者がランバーサポート本体１０１の高さを調整する際に把持するために設けられている。
なお、ランバーサポート本体１０１の形状や構造については、上述の形態に限定されない。
【００４８】
取付構造１０４は、下枠材８３に取り付け可能とされ、且つ取付時に下枠材８３の前側に配置される第一取付部材１０５と、下枠材２２３に取り付け可能とされ、且つ取付時に下枠材８３の後側に配置される第二取付部材１０６と、を有している。図５及び図６に示すように、第一取付部材１０５と、第二取付部材１０６とは、互いの幅方向の中心が一致するように前後方向に重なって配置されている。
【００４９】
図７の（ａ）から（ｃ）に示すように、第一取付部材１０５は、上下方向に延びる第一基部１２２と、第一基部１２２の下縁部から後側に向かって漸次下側に向かう斜め方向に延びる第一延出部（取付部）１２１と、を有している。
【００５０】
図８から図１０に示すように、第一延出部１２１は、下枠材８３の突出部９４の前側で凹部９５の内部に配置されている。第一延出部１２１は、突出部９４の膨出部９７の前面９７ｆ及び下面９７ｂと当接するように配置される第一当接部１２５と、第一当接部１２５から下側に向かうに従って漸次に後側に向かうように延び、且つ凹部９５の内部に配置される第二当接部１２６と、を有している。
【００５１】
第一当接部１２５の上端部には、第一基部１２２が接続されている。
第二当接部１２６の先端部分は、凹部２５の内面（即ち、基部９３の前側の上面９３ａと突出部９４の下面９４ｂ）に当接している。
【００５２】
図７の（ａ）及び（ｃ）に示すように、第一基部１２２の幅寸法は、上方に向かって漸次小さくするよう形成されている。即ち、第一基部１２２は、前側及び後側から見て略三角形をなしている。図１０にも示すように、第一基部１２２の下部には、幅方向において互いに間隔をあけて二つのボルト孔１２３が形成されている。二つのボルト孔１２３は、図５に示すボルト１２４が挿通可能に形成されている。また、第一基部１２２には、背面カバー１０３を係合させることが可能な背面カバー係合部（不図示）が適宜形成されている。
【００５３】
図７の（ａ），（ｃ）及び図８に示すように、第一基部１２２には、幅方向の略中央部に上下方向に延在するボルト孔１３３が形成されている。ボルト孔１３３は、図５に示すボルト１３１が挿通可能に形成されている。ボルト孔１３３の幅方向の両側には、一対のガイド壁１３４が形成されている。図８に示すように、ボルト孔１３３及びガイド壁１３４の前方にはランバーサポート本体１０１のアーム部１１３が配置可能とされ、ボルト孔１３３及びガイド壁１３４の後方には高さ調整部１０７が配置可能とされている。ランバーサポート本体１０１のアーム部１１３と、高さ調整部１０７とは、ボルト孔１３３を介し、ボルト１３１によって連結されている。
【００５４】
図７の（ｃ）、図８及び図９に示すように、一対のガイド壁１３４のそれぞれの後面には、平坦なスライド面１４１と、一対のガイド壁１３４のそれぞれの後面の幅方向の外側（幅方向に互いに離間する側）に後方に突出するノッチ１４２が上下方向にわたって間隔をあけて複数のノッチ面１４３が形成されている。
【００５５】
図７の（ａ），（ｃ）に示すように、第一延出部１２１と第一基部１２２の下部には、前後方向に貫通する四つの切欠き１５１が幅方向に間隔をあけて形成されている。切欠き１５２は、第一延出部１２１の後端縁（即ち、取付部１０２を構成する第一取付部材１０５の外周縁）から第一延出部１２１において前後方向に沿って延在し、第一延出部１２１の前端から第一基部１２２の下部において上側に延びている。
【００５６】
具体的には、四つの切欠き１５１は、それぞれ第一延出部１２１の後端（或いは下端）から第一基部１２２の高さ方向の中間部にわたって延びている。第一延出部１２１及び第一基部１２２の下部は、四つの切欠き１５１が形成されていることにより、幅方向に五つに分割されている。五つに分割されたそれぞれを分割部１５２とすると、五つの分割部１５２のそれぞれの第一当接部１２５が突出部９４の膨出部９７（図８から図１０参照）の前面９７ｆ及び下面９７ｂと当接するように配置され、五つの分割部１５２のそれぞれの第二当接部１２６が凹部９５（図８乃至図１０参照）の内部に配置されるように構成されている。
【００５７】
四つの切欠き１５１のうち、幅方向の両端に配置された二つの切欠き１５１Ａ，１５１Ｂの第一延出部１２１と第一基部１２２の連続部分には、切欠き１５１の幅よりも大きく開口されたフック部用開口部１５３が形成されている。
【００５８】
図１１の（ａ）から（ｃ）に示すように、第二取付部材１０６は、上下方向に延びる第二基部１６２と、第二基部１６２の下縁部から後側に向かって漸次下側に向かう斜め方向に延びる第二延出部１６１と、を有している。
【００５９】
図８から図１０に示すように、第二延出部１６１は、下枠材８３の突出部９４の板状部９６の上面９６ａ（即ち、突出部９４の上面９４ａの後側）に沿って配置されている。第二延出部１６１は、幅方向の中間部に形成され、且つ突出部９４の板状部２６の上面９６ｂと当接するように配置される第二当接部１６５と、幅方向の両端部にそれぞれ形成され、且つ下枠材８３の突出部９４の膨出部９７に外嵌可能なフック部１６８（図１１の（ｂ）及び図１２参照）と、を有している。図１１の（ａ）及び（ｃ）に示すように、第二当接部１６５の上端部及びフック部１６８の上端部は、第二基部１６２と接続されている。第二当接部１６５とフック部１６８とは、直接連結されていない。
【００６０】
図１０に示すように、第二当接部１６５における幅方向の両端部且つ前側の端部が突出部９４の膨出部９７の上面９７ａに当接すると共に、前側の端部より後側の部分が突出部９４の板状部９６の上面９６ａと当接している。第二当接部１６５の前側の端部は、第一取付部材１０５の第一当接部１２５と当接している。
【００６１】
上述の構成により、突出部９４の膨出部９７は、幅方向の両端部分それぞれにおいて第一当接部１２５及び第二当接部１６５に囲まれている。また、突出部９４の板状部９６は、第二当接部１２６，１６５に上下から挟まれている。この状態で第一取付部材１０５と第二取付部材１０６とが接合されることによって、第一当接部１２５及び第二当接部１６５が突出部９４に係止されるように構成されている。なお、第二当接部１６５は、幅方向の中央部近傍では、突出部９４の板状部９６の上面９６ａに当接しているが、突出部９４の膨出部９７には当接していない。
【００６２】
図１１及び図１２に示すように、フック部１６８には、後側に開口する凹部１６９が形成されている。フック部１６８は、下枠材８３の前側に配置され、凹部１６９に突出部９４の膨出部９７が内嵌可能に形成され、即ち膨出部９７に前側から引っ掛けられるように構成されている。下枠材８３の前側に配置されたフック部１６８は、第一取付部材１０５のフック部用開口部１５３を挿通可能に形成されると共に、フック部用開口部１５３の内部に配置されている。
【００６３】
第二基部１６２は、ランバーサポート本体１０１のアーム部１１３の幅寸法より大きく、且つ第一取付部材１０５の第一基部１２２の幅寸法より小さく形成されている。第二基部１６２は、第一基部１２２の高さ寸法より小さく形成されている。第二基部１６２は、第一基部１２２の下部を後側から覆うように配置されている。
【００６４】
第二基部１６２の前面には、幅方向の略中央部に後側に凹んだ溝部１７１が高さ方向にわたって形成されている。溝部１７１は、第一基部１２２のボルト孔１３３及びガイド壁１３４の後側に配置されている。
【００６５】
第二基部１６２には、第一基部１２２と第二基部１６２とを連結するための図５に示すボルト１２４が挿通されるボルト孔１７２が形成されている。第二基部１６２の前面には、第一取付部材１０５の第一基部１２２の後面に形成された第一基部側当接部１２７（図１０参照）と当接する第二基部側当接部１７３が形成されている。なお、第一基部側当接部１２７及び第二基部側当接部１７３は、互いに平面状に形成されていてもよく、互いに嵌合する形状に形成されていてもよい。
【００６６】
図５に示すように、第一取付部材１０５に形成されたボルト孔１２３及び第二取付部材１０６のボルト孔１７２には、第一延出部１２１と第二取付部材６の第二延出部１６１とを接合するボルト１２４が挿通される。挿通されたボルト１２４は、それぞれ第一取付部材１０５の前方からナット１９５によって留められている。
【００６７】
第二基部１６２には、第一基部１２２と同様に、背面カバー１０３と係合される背面カバー係合部（不図示）が適宜形成されている。
【００６８】
背面カバー１０３は、第一基部１２２の背面カバー係合部及び第二基部１６２の背面カバー係合部と係合可能な係合部（不図示）を有している。該係合部が第一基部１２２の背面カバー係合部及び第二基部１６２の背面カバー係合部と係合することで、背面カバー１０３が第一取付部材１０５及び第二取付部材１０６に装着可能とされている。
【００６９】
高さ調整部１０７は、ランバーサポート本体１０１に取り付けられ、ランバーサポート本体１０１と共に第一取付部材１０５及び第二取付部材１０６に高さ調整可能に支持されている。具体的には、図８及び図９に示すように、高さ調整部１０７は、第一取付部材１０５の第一基部１２２のボルト孔１３３及びガイド壁１３４と第二取付部材１０６の第二基部１６２の溝部１７１が形成された部分との間に設けられている。
【００７０】
図５、図８及び図９に示すように、高さ調整部１０７は、スライドプレート１８１と、スライドプレート１８１の前後方向から見た外周部に接合されたポジショナー１８２と、を有している。
【００７１】
スライドプレート１８１は、前後方向から見て上下方向に長い略長方形のブロック状に形成され、下側に開口している。スライドプレート１８１には、ランバーサポート本体１０１のアーム部１１３に接合するためボルト１３１が挿通されるボルト孔１８７が形成されている。スライドプレート１８１は、一対のスライド面１４１に沿って上下方向にスライド可能に構成されている。
【００７２】
ポジショナー１８２は、前後方向に貫通する開口部１８９が形成された枠状の部材である。ポジショナー１８２の開口部１８９には、スライドプレート１８１が嵌合可能とされている（図１３参照）。ポジショナー１８２及びスライドプレート１８１は、互いに嵌合した状態で、第一取付部材１０５の第一基部１２２のボルト孔１３３及びガイド壁１３４と第二取付部材１０６の第二基部１６２の溝部１７１が形成された部分との間に配置されている。
【００７３】
図５に示すように、ポジショナー１８２には、幅方向の両側に前側に突出する突起部１９２が形成されている。ポジショナー１８２は、一対のノッチ面１４３に沿って上下方向にスライド可能に構成されている。突起部１９２は、ノッチ面１４３の複数のノッチ１４２にそれぞれ係合可能に構成されている。
【００７４】
ランバーサポート本体１０１のアーム部１１３と高さ調整部１０７とは、第一基部１２２のボルト孔１３３及びガイド壁１３４を挟んで対向し、ボルト孔１３３を貫通する上下一対のボルト１３１によって互いに連結されている。これにより、アーム部１１３及び高さ調整部１０７は、ボルト孔１３３に沿って上下方向にスライド移動可能とされている。  高さ調整部１０７は、ポジショナー１８２の上端部がボルト孔１３３の上壁と当接することによって上側への移動が規制され、ポジショナー１８２の下端部がボルト孔１３３の下壁と当接することによって下側への移動が規制されている。これにより、ランバーサポート本体１０１は、上下方向の移動範囲が規制されている。
【００７５】
高さ調整部１０７が移動領域の下部側に配置されている場合は、高さ調整部１０７の後側には第二取付部材１０６の第二基部１６２が配置されている。高さ調整部１０７が移動領域の上部側に配置されている場合は、高さ調整部１０７の後側に背面カバー１０３が配置されている。
【００７６】
高さ調整部７のポジショナー１８２の突起部７２２が所望の高さのノッチ１４２に係合することで、アーム部４１３および高さ調整部７がスリット５３に沿った複数段階の所望の高さ位置に固定される。このようにして、ランバーサポート本体１０１を所望の高さに配置することができる。
【００７７】
次いで、ランバーサポート１００を下枠材８３に装着する方法について説明する。
【００７８】
まず、第一取付部材１０５及び第二取付部材１０６を下枠材８３に取り付ける。
具体的には、第一取付部材１０５を、下枠材８３の前側に配置し、第一当接部１２５を下枠材８３の突出部９４の膨出部９７に当接させるとともに、第二当接部１２６を下枠材８３の凹部９５に挿入する。このとき、第二当接部１２６を凹部９５に形成された２つの壁部９５ａ，９５ａの間に配置する。これにより、第一取付部材１０５が幅方向へ移動することが規制される。
【００７９】
第一取付部材１０５の設置と前後して、図１４及び図１５に示すように、第二取付部材１０６を下枠材８３の後側に配置し、第二当接部１６５を下枠材８３の突出部９４の板状部９６の上面２６ａに当接させる。なお、図１４及び図１５では第一取付部材１０５の図示を省略している。
【００８０】
また、第二取付部材１０６のフック部１６８を下枠材８３の突出部９４の膨出部９７に前側から引っ掛け、第一取付部材１０５のフック部用開口部１５３の内部に配置する。続いて、第一基部１２２の第一基部側当接部１２７と第二基部１６２の第二基部側当接部１７３とを前後方向に当接させ、第一延出部１２１と第二基部１６２とボルト１２４で締結する。
【００８１】
第一取付部材１０５と第二取付部材１０６とが接合されると、第一取付部材１０５及び第二取付部材１０６の相対的な位置が固定されると共に、第一取付部材１０５及び第二取付部材１０６が下枠材８３に取り付けられた状態となる。この際、第二当接部１２６の先端部は、基部９３の上面９３ａに当接している。
【００８２】
次に、第一取付部材１０５及び第二取付部材１０６にランバーサポート本体１０１を取り付ける。第一基部１２２のボルト孔１３３の前側にランバーサポート本体１０１を配置し、第一基部１２２のボルト孔１３３の後側に、高さ調整部１０７を配置する。続いて、ボルト孔１３３を介してランバーサポート本体１０１のアーム部１１３と高さ調整部１０７とをボルト１３１で接合する。高さ調整部１０７のポジショナー１８２の突起部１９２をガイド壁１３４のノッチ１４２と係合させる。
【００８３】
次に、背面カバー１０３を設置する。第一基部１２２及び第二基部１６２の後方に背面カバー１０３を配置し、第一基部１２２及び第二基部１６２に係合させる。これにより、ランバーサポート１００が前枠材７０Ｆに装着される。以上の手順によって、ランバーサポート１００が下枠材８３に取り付けられる。
【００８４】
次いで、上述の本実施形態による背凭れ１の作用・効果について説明する。
【００８５】
以上説明したように、本実施形態による取付構造１０４によれば、第一延出部１２１と第二基部１６２とボルト１２４で締結すると共に第一取付部材１０５及び第二取付部材１０６を下枠材（被取付部材）８３に取り付ける際に、第一取付部材（取付部）１０５が突出部９４の下面（被取付面）９４ｂに当接しつつ下面９４ｂに応じて変位することができる。これにより、突出部９４の下面９４ｂと第一取付部材１０５の第二当接部１２６の上面（即ち、当接面）との互いの形状の違いによる隙間をなくすように、第一取付部材１０５を突出部９４の下面９４ｂに取り付け可能となる。従って、金型成形等によって製造される第一取付部材１０５において、前枠材７０Ｆとの間に形状のずれがあっても、第一取付部材１０５と第二取付部材１０６とを突出部９４の下面９４ｂ及び上面９４ａに対して良好に取り付けることができ、ランバーサポート１００と前枠材７０Ｆとの取付状態を堅牢に維持することができる。
また、切欠き１５１が外周縁から下方に開口していることによって、ボルト締め込み時に第一取付部材（取付部）１０５を幅方向に弾性変形させることができる。これにより、下枠材８３に正面視における形状の歪みがある場合(下枠材８３が下方への出っ張っている場合や、下枠材８３のカーブの曲率が設計想定値と異なっている場合など)も、そのゆがみを吸収した状態で第一取付部材（取付部）１０５に下枠材８３に取り付けることができる。
【００８６】
また、本実施形態による取付構造１０４によれば、第一取付部材１０５がランバーサポート本体１０１から着脱可能に取り付けられているので、突出部９４の下面９４ｂに応じて変形させる部分をランバーサポート本体１０１とは別体としてコンパクトに製造することができ、点検時や破損時にも必要に応じて第一取付部材１０５のみを交換すれば済む。
【００８７】
また、本実施形態による取付構造１０４によれば、具体的に第一取付部材１０５に形成された切欠き１５１の大きさ（例えば、幅寸法等）を変化させて第一取付部材１０５の周方向における切欠き１５１の両側の合計五つの分割部１５２を突出部９４の下面９４ｂに応じて変形させることができる。これにより、上述のように、第一取付部材１０５と前枠材７０Ｆとの間に形状のずれがあっても、第一取付部材１０５と第二取付部材１０６とを突出部９４の下面９４ｂ及び上面９４ａに対して良好に取り付けることができ、ランバーサポート１００と前枠材７０Ｆとの取付状態を堅牢に維持することができる。また、複雑な機構や製造工程を要することなく、切欠き１５１を形成するだけで上述の第一取付部材１０５を容易に製造することができる。
【００８８】
さらに、本実施形態によるランバーサポート１００によれば、ランバーサポート１００の第一取付部材１０５の各面形状において突出部９４の下面９４ｂ等の被取付面との間に形状のずれがあっても、ランバーサポート１００を被取付面に対して良好に取り付けることができると共に、ランバーサポート１００と被取付部との取付状態を堅牢に維持することができる。
【００８９】
さらに、本実施形態による椅子１０によれば、被取付部とランバーサポート１００との間に形状のずれがあっても、ランバーサポート１００を被取付面に対して良好に取り付けることができると共に、椅子１０におけるランバーサポート１００と被取付部との取付状態を堅牢に維持することができる。
【００９０】
以上、本発明による背凭れの実施形態について説明したが、本発明は上記の実施形態に限定されるものではなく、その趣旨を逸脱しない範囲で適宜変更可能である。
【００９１】
例えば、上述の実施形態では、取付部は、第一取付部材１０５と第二取付部材１０６とによって構成されているが、これらの部材が一体に構成されていてもよい。
【００９２】
また、上述の実施形態では、第一取付部材１０５とランバーサポート本体１０１とは別体であるが、取付部はランバーサポート本体１０１と一体に構成されていてもよい。
【００９３】
また、上述の実施形態では、切欠き１５１が第一取付部材１０５のみに形成されていたが、第二取付部材１０６に形成されていてもよい。
【００９４】
さらに、本発明に係るオプション部材は、ランバーサポート１００に限定されず、ハンがーやヘッドレスト等、什器等に取り付け可能な部材であれば含む。また、オプション部材を備えた什器は、椅子に特定されず、机や棚等の什器を全て含む。
【００９５】
また、本発明における取付部としての、第一取付部材１０５の第一当接部１２５、第二当接部１２６、第二取付部材１０６の第二延出部１６１の少なくともひとつが、第一取付部材１０５および第二取付部材１０６の他部位に対して、二色成形等の手段により一体化された、前記他部位よりも相対的に弾性変形しやすい素材で形成されていてもよい。このような場合、取付部に切欠きは必ずしも必要でない。
【００９６】
また、本発明における取付部としての分割部１５２が、第一取付部材１０５とは切り離された別部材であり、下枠材８３の長手方向に略沿う方向の軸心を有する枢軸によって枢支されていてもよい。このような場合、各々の分割部１５２の回動範囲を適宜設定することによって、分割部１５２と下枠材８３との間の隙間の発生をより確実に抑止することができる。
【符号の説明】
【００９７】
１０  椅子（什器）
１００  ランバーサポート（オプション部材）
１０２  取付部
１０４  取付構造（オプション部材の取付構造）
【図１】
2018174991.tif 000003
【図２】
2018174991.tif 000004
【図３】
2018174991.tif 000005
【図４】
2018174991.tif 000006
【図５】
2018174991.tif 000007
【図６】
2018174991.tif 000008
【図７】
2018174991.tif 000009
【図８】
2018174991.tif 000010
【図９】
2018174991.tif 000011
【図１０】
2018174991.tif 000012
【図１１】
2018174991.tif 000013
【図１２】
2018174991.tif 000014
【図１３】
2018174991.tif 000015
【図１４】
2018174991.tif 000016
【図１５】
2018174991.tif 000017